(57)【要約】  蓋（１００）は電子レンジ用の容器（２００）頂部に取付可能である。蓋（１００）はボール紙、硬質紙、及びその他の材料から作られ電子レンジ用容器（２００）の開放頂部を覆う働きをして、容器の中身が加熱中に飛び散らないようにする。蓋（１００）はまた加熱後に、消費者が安全に加熱された容器（２００）を取り扱うことのできる表面を提供する。蓋の天板（２０）の、凹凸や継目のない滑らかで連続した中断のない表面は、広告、製品情報、及びグラフィックスに適している。
2008532871.tif 000002
【特許請求の範囲】
【請求項１】
天板と、
第１の横板と、
底板と、
前記底板にあって、容器の上方部分を受け入れる大きさにされた少なくとも１つの頂部受入切込パターンと、
第２の横板と、
閉じ板と、を備える、蓋に組み上げる蓋の生地板において、
組み上げた蓋では、前記天板が前記第１の横板と前記第２の横板とに隣接し、前記底板が前記第１の横板と前記第２の横板とに隣接することを特徴とする蓋の生地板。
【請求項２】
請求項１に記載の生地板において、前記生地板を内側に折り込むとき前記生地板を閉塞するように構成された力学的閉塞機構をさらに備えることを特徴とする生地板。
【請求項３】
請求項２に記載の生地板において、前記力学的閉塞機構は、
少なくとも１つの閉じ耳と、
前記少なくとも１つの閉じ耳を受け入れる大きさにされた少なくとも１つの閉じ孔と、を含むことを特徴とする生地板。
【請求項４】
請求項３に記載の生地板において、前記少なくとも１つの閉じ孔は前記第２の横板に隣接することを特徴とする生地板。
【請求項５】
請求項３に記載の生地板において、前記少なくとも１つの閉じ耳は２つの閉じ耳を含み、前記少なくとも１つの閉じ孔は２つの閉じ孔を含むことを特徴とする生地板。
【請求項６】
請求項１乃至５のいずれかに記載の生地板において、前記少なくとも１つの頂部受入切込パターンは、
前記底板の第１の側部に配された第１の頂部受入切込パターンと、
前記底板の第２の側部に配された第２の頂部受入切込パターンと、を含むことを特徴とする生地板。
【請求項７】
請求項６に記載の生地板において、前記第１の頂部受入切込パターンは、
第１の頂部受入切込と、
前記第１の頂部受入切込から伸長する少なくとも１つの第１のＪ字型切込と、
前記第２の頂部受入切込から伸長する少なくとも１つの第２のＪ字型切込と、を含むことを特徴とする生地板。
【請求項８】
請求項７に記載の生地板において、前記第１の頂部受入切込は概ねＣ字型をなすことを特徴とする生地板。
【請求項９】
請求項６に記載の生地板において、前記第１の頂部受入切込パターンは、
前記生地板の幅に沿って伸びる第１の直線部分と、
前記第１の直線部分の端部から伸びるＪ字型切込と、を含むことを特徴とする生地板。
【請求項１０】
請求項９に記載の生地板において、前記第１の頂部受入切込パターンは、
前記Ｊ字型切込から伸びる「く」の字型切込と、
前記Ｊ字型切込から伸びるＣ字型切込と、をさらに含むことを特徴とする生地板。
【請求項１１】
請求項６に記載の生地板において、前記第１の頂部受入切込パターンと前記第２の頂部受入切込パターンとは、前記底板の長さを隔てて互いに離間することを特徴とする生地板。
【請求項１２】
請求項１乃至１１のいずれかに記載の生地板において、前記生地板は前記天板のところが概して矩形をなし、前記天板を前記第１の横板に折込可能に接続するところが細くなることを特徴とする生地板。
【請求項１３】
請求項１２に記載の生地板において、前記生地板は前記底板の中心部分が概して矩形をなし、前記底板を前記第１の横板に折込可能に接続するところが細くなることを特徴とする生地板。
【請求項１４】
請求項１乃至１３のいずれかに記載の生地板において、前記生地板はボール紙または硬質紙から構築されることを特徴とする生地板。
【請求項１５】
請求項１乃至１４のいずれかに記載の生地板において、前記天板は凹凸または継目のないボール紙の連続した部片であることを特徴とする生地板。
【請求項１６】
請求項３に記載の前記生地板から、前記少なくとも１つの閉じ耳と前記少なくとも１つの閉じ孔とを係合させて形成することを特徴とする蓋。
【請求項１７】
容器と請求項１６に記載の前記蓋との組合せにおいて、前記容器の頂部部分は前記蓋の前記少なくとも１つの頂部受入切込パターンと係合することを特徴とする容器と蓋との組合せ。
【請求項１８】
請求項１７に記載の組合せにおいて、前記第１の横板と前記第２の横板とは概ね垂直に伸長し、前記天板は概ね水平に伸長することを特徴とする組合せ。
【請求項１９】
請求項１８に記載の組合せにおいて、前記容器は概して切頭錐体であることを特徴とする組合せ。
【請求項２０】
請求項１乃至１５のいずれかに記載の前記生地板から、前記閉じ板を前記蓋の生地板の前記残余の板の１つに糊付けすることにより形成することを特徴とする蓋。
【請求項２１】
容器と請求項２０に記載の前記蓋との組合せにおいて、前記容器の頂部部分は前記蓋の前記少なくとも１つの頂部受入切込パターンと係合することを特徴とする容器と蓋との組合せ。
【請求項２２】
請求項２１に記載の組合せにおいて、前記第１の横板と前記第２の横板とは概ね垂直に伸長し、前記天板は概ね水平に伸長することを特徴とする組合せ。
【請求項２３】
請求項２２に記載の組合せにおいて、前記容器は概して切頭錐体であることを特徴とする組合せ。
【請求項２４】
蓋を容器に取り付ける方法において、
請求項１乃至１５のいずれかに記載の生地板を用意するステップと、
生地板を折り込むステップと、
少なくとも１つの閉じ耳と少なくとも１つの閉じ孔とを係合させるステップと、
容器を用意するステップと、
容器の頂部を少なくとも１つの頂部受入切込パターンに挿着させるステップと、を含むことを特徴とする方法。
【請求項２５】
蓋を容器に取り付ける方法において、
請求項１乃至１５のいずれかに記載の生地板を用意するステップと、
生地板を折り込むステップと、
閉じ板を蓋の生地板の残余の板の１つに糊付けするステップと、
容器を用意するステップと、
容器の頂部を少なくとも１つの頂部受入切込パターンに挿着させるステップと、を含むことを特徴とする方法。
【請求項２６】
凹凸や継目のない天板と、
第１の横板と、
底板と、
前記底板にあって、容器の上方部分を受け入れる大きさにされた少なくとも１つの頂部受入切込パターンと、
第２の横板と、
前記生地板を閉塞する力学的手段と、を備える、蓋に組み上げる蓋の生地板において、
組み上げた蓋では、前記天板が前記第１の横板と前記第２の横板とに隣接し、前記底板が前記第１の横板と前記第２の横板とに隣接することを特徴とする蓋の生地板。
【請求項２７】
請求項２６に記載の生地板において、前記少なくとも１つの頂部受入切込パターンは、
前記底板の第１の側部に配された第１の頂部受入切込パターンと、
前記底板の第２の側部に配された第２の頂部受入切込パターンと、を含むことを特徴とする生地板。
【請求項２８】
請求項２６に記載の生地板において、前記生地板を閉塞する前記力学的手段は耳手段を含むことを特徴とする生地板。
【請求項２９】
請求項２６に記載の生地板において、前記生地板は前記底板の中心部分が概して矩形をなし、前記底板を前記第１の横板に折込可能に接続するところが細くなることを特徴とする生地板。
【請求項３０】
請求項２６に記載の前記生地板から形成されることを特徴とする蓋。
【請求項３１】
容器と請求項３０に記載の前記蓋との組合せにおいて、前記容器の頂部部分は前記蓋の前記少なくとも１つの頂部受入切込パターンと係合することを特徴とする容器と蓋との組合せ。
【請求項３２】
天板と、
第１の横板と、
底板と、
前記底板にあって、容器の上方部分を受け入れる手段と、
第２の横板と、
少なくとも１つの閉じ耳と、
前記少なくとも１つの閉じ耳を受け入れる大きさにされた少なくとも１つの閉じ孔と、を備える、蓋に組み上げる蓋の生地板において、
組み上げた蓋では、前記天板が前記第１の横板と前記第２の横板とに隣接し、前記底板が前記第１の横板と前記第２の横板とに隣接することを特徴とする蓋の生地板。
【請求項３３】
請求項３２に記載の生地板において、前記天板は凹凸または継目のないボール紙の連続した部片であることを特徴とする生地板。
【請求項３４】
請求項３２に記載の生地板から形成されることを特徴とする蓋。
【請求項３５】
容器と請求項３４に記載の前記蓋との組合せにおいて、前記容器の頂部部分は、容器の上方部分を受け入れる前記底板の前記手段と係合することを特徴とする容器と蓋との組合せ。
【請求項３６】
蓋を容器に取り付ける方法において、
請求項３２に記載の生地板を用意するステップと、
前記生地板を折り込むステップと、
前記少なくとも１つの閉じ孔と前記少なくとも１つの閉じ耳とを係合させるステップと、
容器を用意するステップと、
前記容器の頂部を、容器の上方部分を受け入れる前記底板の前記手段に挿着させるステップと、を含むことを特徴とする方法。
【請求項３７】
請求項３２に記載の生地板において、
前記生地板は前記天板のところが概して矩形をなし、前記天板を前記第１の横板に折込可能に接続するところが細くなり、さらに、
前記生地板は前記底板の中心部分が概して矩形をなし、前記底板を前記第１の横板に折込可能に接続するところが細くなることを特徴とする生地板。
【発明の詳細な説明】
【技術分野】
【０００１】
技術分野は容器の蓋またはカバーに関連する。具体的には、技術分野は加熱後の容器の取扱いを安全にする電子レンジ用の容器の蓋に係わる。
【背景技術】
【０００２】
電子レンジ用の容器は周知である。この種の容器は桶か盆の形をして、その上方部分に金属周縁部を持つ。こうした容器の頂部はプルタブのついた金属のカバーで塞がれており、プルタブを使ってカバーを除去した後に電子レンジで容器の中身を加熱する。カバーを除去すると容器は開くが、加熱される容器の中身は覆われてなければ電子レンジの内側の表面に飛散する。
【発明の開示】
【発明が解決しようとする課題】
【０００３】
この問題の１つの解決法は容器にプラスチックの蓋を配することである。プラスチックの蓋は通気するから加熱中の過度の圧力上昇を防止することができ、加えて容器の頂部に締まり嵌めするように整形できる。加熱する前にプラスチックの蓋を取り外し、プルタブに指を入れて金属カバーを除去する。それからプラスチックの蓋を容器に再載置してから加熱する。結果として容器の開口部は覆われ、容器の中身の飛散は防止される。こうしたプラスチックの蓋は有効ではあるが割と製作費が掛かる上に、比較的厳しい公差内で製造しなければならない。プラスチックの蓋はさらに使いようによっては、加熱した電子レンジ容器を持ち上げて運ぼうとする消費者を十分に防護することはできない。
【０００４】
別の解決策は容器にボール紙の蓋を配することである。ボール紙の蓋はボール紙の生地板から作り、容器から取り外すことができる。ボール紙蓋もプラスチック蓋の場合のように取り外して容器の金属カバーを除去できるようにされ、加熱する前に容器に再配置される。したがってボール紙蓋は加熱中の容器の中身の飛散を防止する上に、消費者が加熱した容器を持てるようにする。
【０００５】
ところが周知のボール紙蓋は、広告またはその他の製品情報を展示するに相応しい表面を持たない点では不十分である。
したがって、広告またはその他の製品情報展示のための表面を提供し、さらに加熱された容器を持ち及び／または運ぼうとするユーザーを保護する、容器を覆うための安価な方策が求められる。
【課題を解決するための手段】
【０００６】
第１の実施形態によれば、蓋に組み上げる蓋の生地板は、天板と、第１の横板と、底板と、底板にある、容器の上方部分を受け入れる大きさにされた少なくとも１つの頂部受入切込パターンと、第２の横板と、閉じ板とを具備する。組み上げた蓋では、天板は第１の横板と第２の横板とに隣接し、底板も第１の横板と第２の横板とに隣接する。
【０００７】
第１の実施形態によれば、蓋は蓋の生地板から組み立てられ、滑らかな連続した天板を持つ。天板はこのため製品や広告、その他の情報を印刷するのに特に適している。ロゴ、製品識別物、その他のイメージも天板に設置できる。
【０００８】
蓋は例えば、取外しできる金属カバーのついた電子レンジ用の容器に載置できる。金属カバーを除去してから電子レンジで加熱するとき、蓋が容器の頂部を覆うから、加熱中に容器の中身は飛び散らない。さらに加熱後、消費者は、熱すぎて安全に触る及び／または扱うことのできない容器自体ではなく、蓋―容器結合体の蓋を保持することができる。
【０００９】
幾つかの実施形態では、生地板に多様な力学的閉塞機構を配して蓋を組み立てることができる。力学的閉塞機構は、例えば閉じ耳と閉じ孔の構成にすることができる。別の実施形態では、閉じ板を接着剤で固着する。
【００１０】
当業者は、下に列挙する図面を参照しながら以下の詳細な実施形態の説明を読み取ることで、上述の利点、その他の利点、及び多様な追加的実施形態の利益を諒解するだろう。
【００１１】
一般的慣行に従い、以下に議論する図面の多様な形状構成は必ずしも尺度通りには描かれていない。本発明の実施形態をより明瞭に説明するため、図面の様々な形状と要素との寸法は拡大または縮小されている。
【発明を実施するための最良の形態】
【００１２】
本発明は容器に取り付ける蓋に関する。蓋１００は図５に組み上げた状態で示され、電子レンジ用の容器２００に取り付けられている。蓋１００は例えば容器に載置され、加熱中容器２００の中身が飛散しないようにする。蓋１００はさらに、容器２００の加熱後、消費者やその他のユーザーが手にやけどを負わずに加熱した容器２００を持ち上げ扱うことを可能にする。蓋１００は安価で組立が容易な上に、組立用の接着剤を要しない力学的閉塞機構を備える。蓋１００の天板は、広告、製品情報、及びその他の絵または文字による情報を設置するに適した滑らかな連続した表面を備える。
【００１３】
図１は、第１の実施形態の蓋１００の形成に用いる生地板１０の第１の面５の平面図である。生地板１０は天板２０を含み、天板２０の第１の側部からは２つの閉じ耳２２、２４が突出している。生地板１０には、各閉じ耳２２、２４の基部のところでそれぞれ耳の切込２６、２８が形成され、閉じ耳２２、２４が生地板２０の面に関着したり脱着できるようにする。天板２０は第１の折込線３２のところで折込自在に第１の横板４０に接続する。生地板１０にはさらに、天板２０と第１の横板４０との中間に１以上の第１の切込線３４、３６も形成され、第１の折込線３２での生地板１０の折込みを容易にする。折込線３２に沿って任意の数の切込線が形成できるが、切込線の数と長さとは生地板１０の形成に用いる材料の、例えば規格と剛性とに応じて選択される。
【００１４】
第１の横板４０は第２の折込線５２のところで折込自在に底板５０に接続する。生地板１０には底板５０と第１の横板４０との中間で１以上の第２の切込線５４、５６が形成され、第２の折込線５２での折込みを容易にする。
【００１５】
底板５０は、底板５０の長さを隔てて互いに離間した第１の頂部受入切込パターン５８と第２の頂部受入切込パターン５９とを含む。第１の頂部受入切込パターン５８は、第１の頂部受入切込線６０と、第１の頂部受入切込線６０に沿う各中間点から伸長するＪ字型切込６４とを含む。第２の頂部受入切込パターン５９は第２の頂部受入切込線６２を含み、切込線６２には第２の頂部受入切込線６２に沿う各中間点から伸長するＪ字型切込６６がある。第１と第２の頂部受入切込線６０、６２は大略Ｃ字型としてよい。第１と第２の頂部受入切込パターン５８、５９は、組上げた蓋１００の底板５０に容器の周縁部が突出する挿着個所となる。Ｊ字型切込６４、６６は頂部受入切込線６０、６２を撓ませて開放させ、容器頂部を切込線６０、６２に進入させる。
【００１６】
底板５０は第３の折込線７４のところで折込自在に第２の横板８０に接続する。生地板１０には底板５０と第２の横板８０との中間に１以上の第３の切込線７６、７８が形成され、第３の折込線７４での折込みを容易にする。
【００１７】
第２の横板８０は第４の折込線８８のところで折込自在に閉じ板９０に接続する。離間した閉じ孔８２、８４は概ね第４の折込線８８と整列し、かつ閉じ耳２２、２４を受け入れる大きさにされる。閉じ孔８２、８４は例えば切込、細孔、その他の開口として形成する。
【００１８】
図１に示すように、生地板１０は天板２０と底板５０の中心部分とが概ね矩形を成す。生地板１０は第１の折込線３２のところで細くなり、第２の折込線５２のところでさらに細くなる。同様に、生地板１０は第４の折込線８８のところで細くなり、第３の折込線７４のところでさらに細くなる。
【００１９】
図２は、容器２００に取り付ける前の蓋１００の組立段階の斜視図である。図１は生地板１０の第１の面５、すなわち組み上げた蓋１００の「下側」または「内側」の面を示しているが、図２は、生地板１０を生地板１０の折込線で巻き込んだときの生地板１０の第２の、または外側の面１５を示している。図１及び２について説明すれば、生地板１０の天板２０は、生地板１０の第２の面１５を外側にして、生地板１０を第１と第２の折込線３２、５２で巻き込めば折り込まれる。閉じ板９０も、同じく第２の面１５を外側にして生地板１０を第３と第４の折込線７４、８８で巻き込んで折り込む。折込線３２、５２、７４、８８の巻込みは閉じ板９０を天板２０に接近させる。この時、閉じ耳２２、２４を各々１つの閉じ孔８２、８４に挿入できるから、生地板１０の両端部は連結して蓋１００を「閉塞」する。
【００２０】
図３は容器２００の、蓋１００への挿着を示している。図３では、閉塞した蓋は逆さまで、容器２００の頂縁部または頂部の周縁は第１の頂部受入切込６０に挿着されている。容器２００の頂部を第１の頂部受入切込６０に挿入すると、底板５０は第１と第２のＪ字型切込６４のところで撓み、容器頂部を第１の頂部受入切込６０に進入させる。
【００２１】
次に図４を参照すれば、容器２００の頂部または周縁部の反対側の縁部は第２の頂部受入切込６２に挿入されている。底板５０は第３と第４のＪ字型切込６６のところで撓み、容器２００の挿着を容易にさせる。容器２００はこの時完全に蓋１００に着座する。
【００２２】
図５は、桶形容器２００に装着された組上げ蓋１００の直立位置での斜視図である。容器２００への載置時は、第１と第２の横板４０、８０は概ね垂直に伸長し、天板２０は容器２００の頂部に概ね水平に跨乗する。底板５０もまた概ね水平に広がり、容器２００の頂部と天板２０間に介在する。図５に示すように、天板２０の上面は、凹凸や継目、その他表面の不揃いのない滑らかで連続した表面であるから、この上に広告情報や製品情報、その他任意の有用な情報及び／またはグラフィックスを印刷することができる。
【００２３】
上述の実施形態によれば、蓋１００は、閉じ耳２２、２４と閉じ孔８２、８４との力学的相互作用により確実に閉塞状態で保持される。蓋１００は組立が簡単な上、比較的低コストで製造され組み立てられる。蓋１００を閉塞状態に維持するのに接着剤やその他の化学的接合手段は要しない。
【００２４】
図６は第２の実施形態の蓋３００の形成に用いる生地板３０２の平面図である。蓋３００は図７に組み上げた状態で示され、電子レンジ用の桶形容器２００に取り付けられている。蓋３００は例えば容器に載置されて、加熱中に容器２００の中身の飛散を防止するから、消費者またはその他のユーザーは手にやけどを負わずに加熱した容器２００を取り上げかつ扱うことができる。蓋３００は安価かつ組立が簡単な上に、組立に接着剤を要しない力学的閉塞機構を配することができる。蓋３００の天板は、広告、製品情報、及びその他の絵または文字情報の設置に適した、滑らかで連続した表面を備えている。
【００２５】
図６は、蓋３００の形成に用いる生地板３０２の第１の面３０５の平面図である。生地板３０２は天板３２０を含み、天板３２０の第１の側部からは２つの閉じ耳３２２、３２４が突出する。生地板３０２には各耳３２２、３２４の基部のところにそれぞれ耳の切込３２６、３２８が形成され、耳３２２、３２４が生地板３０２の面に関着したり脱着できるようにする。天板３２０は第１の折込線３３２のところで折込自在に第１の横板３４０に接続する。生地板３０２にはまた、天板３２０と第１の横板３４０との中間に１以上の第１の切込線３３４、３３６も形成されて、第１の折込線３３２での生地板３０２の折込を容易にする。折込線３３２に沿って任意の数の切込線が形成できるが、切込線の数と長さは生地板３０２の形成に用いる材料の、例えば規格と剛性とに応じて選択する。
【００２６】
第１の横板３４０は第２の折込線３５２のところで折込自在に底板３５０に接続する。生地板３０２には底板３５０と第１の横板３４０との中間に１以上の第２の切込線３５４、３５６が形成され、第２の折込線３５２での折込を容易にする。
【００２７】
底板３５０は、底板３５０の両側部に配置された第１の頂部受入切込パターン３６０と第２の頂部受入切込パターン３６２とを含む。第１の頂部受入切込パターン３６０は、生地板３０２の幅に沿って伸長する第１の直線部分３６４と、直線部分３６４の端部から外方に伸長するＪ字型切込３６６とを含む。「く」の字型切込３６８は、Ｊ字型切込３６６と相交わり、そこから伸長する。くの字型切込３６８の端部からはＣ字型切込３７０が伸長する。折込線３７２はＣ字型切込３７０から底板３５０の縁部まで伸びる。第２の頂部受入切込パターン３６２は第１の頂部受入切込パターン３６０と同じで、生地板３０２の幅に沿って伸長する第１の直線部分３８４と、直線部分３８４の端部から外方に伸長するＪ字型切込３８６と、Ｊ字型切込３８６から伸びる「く」の字型切込３８８と、くの字型切込３８８の端部から伸びるＣ字型切込３９０とを含む。Ｃ字型切込３９０からは底板３５０の縁部まで折込線３９２が伸びる。頂部受入切込パターン３６０、３６２は底板３５０を撓ませて開放させ、容器頂部を組上げ蓋３００の底板３５０に進入させる。
【００２８】
底板３５０は第３の折込線４０４のところで折込自在に第２の横板４００に接続する。生地板３０２には、底板３５０と第２の横板４００との中間に１以上の第３の切込線４０６、４０８が形成され、第３の折込線４０４での折込を容易にする。
【００２９】
第２の横板４００は第４の折込線４１８のところで折込自在に閉じ板４２０に接続する。閉じ孔４２２、４２４は概ね第４の折込線４０４と整列し、閉じ耳３２２、３２４を収容する大きさにされている。
【００３０】
図６に示すように、生地板３０２は天板３２０と底板３５０の中心部分とが概ね矩形を成す。生地板３０２は第１の折込線３３２のところで細くなり、第２の折込線３５２のところでさらに細くなる。同様に、生地板３０２は第４の折込線４１８のところで細くなり、第３の折込線４０４のところでさらに細くなる。
【００３１】
図７は生地板３０２から形成した組上げ蓋３００の斜視図である。蓋３００は蓋１００と同様のやり方で組み上げられ容器２００に装着される。
図８は、変形の閉じ耳装置を持つ別の天板５２０の一部分の平面図である。天板５２０の第１と第２の閉じ耳５２２、５２４には２つの突起がある。閉じ孔の大きさを閉じ耳５２２、５２４の大きさに対応するように選定すれば、天板５２０は上述の生地板１０、３０２と同じ生地板に使用できる。
【００３２】
図９は、変形閉じ耳装置を持つさらに別の天板の一部分の平面図である。天板６２０には単一の閉じ孔６２２がある。天板６２０は上述の生地板１０、３０２と同じ生地板に使用できるが、閉じ孔は１つしか要しない。
【００３３】
図１０は、第３の実施形態の蓋５００の形成に用いる生地板５０２の第１の面５０５の平面図である。蓋５００は図１１に組み上げた状態で示され、電子レンジ用の桶形容器２００に取り付けられている。蓋５００の天板は５２０は、広告や製品情報、その他絵または文字情報の設置に適した滑らかな表面を備えている。
【００３４】
生地板５０２は天板５２０、第１の横板５４０、底板５５０、第２の横板６００、及び閉じ板６２０から成る。第１、第２、及び第３の折込線５３２、５５２、６０４は、図６に示した折込線３３２、３５２、４０４と同じ構造でよい。第１の頂部受入切込パターン５６０と第２の頂部受入切込パターン５６２もまた図６に示したそれらと同じ構造でよい。代案として、図１に示したパターン５８、５９のような頂部受入切込パターンも生地板５０２に使用できる。
【００３５】
生地板５０２が図６に示した生地板と異なる点は、閉じ板６２０が第４の折込線６１８で第２の横板６００に接続し、そこに閉じ耳や閉じ孔がないことである。その代りに、生地板５０２は閉じ板６２０を天板５２０の下側に糊付けして閉塞する。折込線６１８は第１と第２の切込線６２２、６２４を含み、第４の折込線６１８での折込を容易にする。
【００３６】
図１１は、生地板５０２から形成された組上げ蓋５００の斜視図である。蓋５００は蓋１００と同じやり方で組み上げられ容器２００に装着される。一方で、閉じ耳を閉じ孔と係合させる代りに、閉じ板６１０を天板５２０の下側に糊付けする。閉じ板６２０の１以上の側部は例えばニスまたはその他の、閉じ板６２０を天板５２１０に接着させる助けとなる被膜で処理しなくてもよい。天板５２０もまた、閉じ板６２０との接着点のところをニスまたは同様の処理剤で処理しなくてもよい。
上述の各実施形態の底板は、容器頂部を蓋の底板の範囲内に受け入れる例示的装置を示している。一方、容器を蓋に装着させるその他の装置も具えることができる。
【００３７】
生地板１０は例えば硬質紙、ボール紙、及び同様の材料から作ることができる。生地板の第１と第２の面は例えば粘土被膜で被覆可能である。そのあと粘土被膜に製品、広告、及びその他の情報またはイメージを印刷することができる。次に生地板に印刷した情報を保護するため生地板をニスで被覆する。生地板はさらにその一面または両面を例えば水分バリア層で被覆してもよい。
【００３８】
上述の各実施形態では、蓋１００、３００、５００は、円形の上方周縁部を持つ概ね円筒形または切頭円錐形の桶形容器２００に合うものとして示した。一方、本発明の蓋で他の種類の容器も覆うことができる。例えば、平行六面体の容器は、生地板の底板の切込の形を変えることで、または底板に別の切込または孔を与えることで、蓋１００、３００、５００の総括的形状を持つ蓋に適合させることができる。生地板の寸法もまた変更して、例えば多様な容器の形に適合させることができる。
【００３９】
上述の各実施形態は、第２の横板を天板に結合させる閉塞機構を含んでいる。一方、生地板は閉塞機構が別の板に接続するようにも構築できる。例えば、図１を参照すれば、生地板１０２の成分を移動して天板２０を折込自在に第２の横板８０に接続させる。閉じ板は生地板のどちらの側からも突出でき反対側の耳を固締する。こうして閉塞機構が与えられ生地板から蓋が組み上がる。
【００４０】
上記の各実施形態では、折込線は任意適当な方法により生地板に形成できる。例えば、折込線は生地板の一部に折り目をつけたり切れ目を入れたりして形成する。その他の、生地板に折込線を形成する方法も使用できる。
上述の各実施形態は、電子レンジ用のプラスチックの桶形容器への挿着に適した蓋に関連させた。一方、上記実施形態の蓋は、カップやトレー、ボールなどの容器との共用にも適している。そうした実施形態では、例えばプラスチックから作るカップやトレイ、ボールはプラスチックのフィルムやその他の材料の被膜を備え、その被膜は加熱前に除去される。本発明の蓋は然る後蓋やボールに載置されて加熱に供される。
【００４１】
上述の発明の説明で本発明を説明し記述した。補足すれば、開示は本発明の専ら選択された好ましい実施形態の記述にすぎず、諒解されるように、本発明はその他の多様な組合せ、変更、及び環境のもとで使用できる上に、上の言及に相応する本願に明記した本発明のコンセプトの範囲内での、及び／または関連技術の技術や知見内での変更、修正が可能である。
記述は本発明を本願に開示した形態に限定するものではない。同様に、添付クレームは、詳細な説明に明示的に規定されない他の実施形態をも含むと解釈される。
【図面の簡単な説明】
【００４２】
【図１】第１の実施形態の蓋の形成に用いる生地板の平面図である。
【図２】図１の生地板から作る蓋の、桶形容器に取り付ける前の組立段階の斜視図である。
【図３】桶形容器に取り付け中の、図２の組上げた蓋の斜視図である。
【図４】桶形容器に取り付け済みの、図２の組上げ蓋の斜視図である。
【図５】直立位置で桶形容器に取り付けた、図２の組上げ蓋の斜視図である。
【図６】第２の実施形態の蓋の形成に用いる生地板の平面図である。
【図７】桶形容器に取り付けた、第２の実施形態の組上げ蓋の斜視図である。
【図８】変形の閉じ耳装置を持つ別の天板の部分平面図である。
【図９】変形閉じ耳装置を持つさらに別の天板の部分平面図である。
【図１０】第３の実施形態の蓋の形成に用いる生地板の平面図である。
【図１１】桶形容器に装着されている、図１０の組上げ蓋の斜視図である。
【符号の説明】
【００４３】
２０    天板
８２、８４    閉じ孔
９０    閉じ板
１００    蓋
２００    容器
【図１】
2008532871.tif 000003
【図２】
2008532871.tif 000004
【図３】
2008532871.tif 000005
【図４】
2008532871.tif 000006
【図５】
2008532871.tif 000007
【図６】
2008532871.tif 000008
【図７】
2008532871.tif 000009
【図８】
2008532871.tif 000010
【図９】
2008532871.tif 000011
【図１０】
2008532871.tif 000012
【図１１】
2008532871.tif 000013
【手続補正書】
【提出日】平成19年1月15日(2007.1.15)
【手続補正１】
【補正対象書類名】特許請求の範囲
【補正対象項目名】全文
【補正方法】変更
【補正の内容】
【特許請求の範囲】
【請求項１】
天板と、
第１の横板と、
底板と、
前記底板にあって、容器の上方部分を受け入れる大きさにされた少なくとも１つの頂部受入切込パターンと、
第２の横板と、
閉じ板と、を備える、蓋に組み上げる蓋の生地板において、
組み上げた蓋では、前記天板が前記第１の横板と前記第２の横板とに隣接し、前記底板が前記第１の横板と前記第２の横板とに隣接することを特徴とする蓋の生地板。
【請求項２】
請求項１に記載の生地板において、前記生地板を内側に折り込むとき前記生地板を閉塞するように構成された力学的閉塞機構をさらに備えることを特徴とする生地板。
【請求項３】
請求項２に記載の生地板において、前記力学的閉塞機構は、
少なくとも１つの閉じ耳と、
前記少なくとも１つの閉じ耳を受け入れる大きさにされた少なくとも１つの閉じ孔と、を含むことを特徴とする生地板。
【請求項４】
請求項３に記載の生地板において、前記少なくとも１つの閉じ孔は前記第２の横板に隣接することを特徴とする生地板。
【請求項５】
請求項３に記載の生地板において、前記少なくとも１つの閉じ耳は２つの閉じ耳を含み、前記少なくとも１つの閉じ孔は２つの閉じ孔を含むことを特徴とする生地板。
【請求項６】
請求項１乃至５のいずれかに記載の生地板において、前記少なくとも１つの頂部受入切込パターンは、
前記底板の第１の側部に配された第１の頂部受入切込パターンと、
前記底板の第２の側部に配された第２の頂部受入切込パターンと、を含むことを特徴とする生地板。
【請求項７】
請求項６に記載の生地板において、前記第１の頂部受入切込パターンは、
第１の頂部受入切込と、
前記第１の頂部受入切込から伸長する少なくとも１つの第１のＪ字型切込と、
前記第２の頂部受入切込から伸長する少なくとも１つの第２のＪ字型切込と、を含むことを特徴とする生地板。
【請求項８】
請求項７に記載の生地板において、前記第１の頂部受入切込は概ねＣ字型をなすことを特徴とする生地板。
【請求項９】
請求項６に記載の生地板において、前記第１の頂部受入切込パターンは、
前記生地板の幅に沿って伸びる第１の直線部分と、
前記第１の直線部分の端部から伸びるＪ字型切込と、を含むことを特徴とする生地板。
【請求項１０】
請求項９に記載の生地板において、前記第１の頂部受入切込パターンは、
前記Ｊ字型切込から伸びる「く」の字型切込と、
前記Ｊ字型切込から伸びるＣ字型切込と、をさらに含むことを特徴とする生地板。
【請求項１１】
請求項６に記載の生地板において、前記第１の頂部受入切込パターンと前記第２の頂部受入切込パターンとは、前記底板の長さを隔てて互いに離間することを特徴とする生地板。
【請求項１２】
請求項１乃至１１のいずれかに記載の生地板において、前記生地板は前記天板のところが概して矩形をなし、前記天板を前記第１の横板に折込可能に接続するところが細くなることを特徴とする生地板。
【請求項１３】
請求項１２に記載の生地板において、前記生地板は前記底板の中心部分が概して矩形をなし、前記底板を前記第１の横板に折込可能に接続するところが細くなることを特徴とする生地板。
【請求項１４】
請求項１乃至１３のいずれかに記載の生地板において、前記生地板はボール紙または硬質紙から構築されることを特徴とする生地板。
【請求項１５】
請求項１乃至１４のいずれかに記載の生地板において、前記天板は凹凸または継目のないボール紙の連続した部片であることを特徴とする生地板。
【請求項１６】
請求項３に記載の前記生地板から、前記少なくとも１つの閉じ耳と前記少なくとも１つの閉じ孔とを係合させて形成することを特徴とする蓋。
【請求項１７】
容器と請求項１６に記載の前記蓋との組合せにおいて、前記容器の頂部部分は前記蓋の前記少なくとも１つの頂部受入切込パターンと係合することを特徴とする容器と蓋との組合せ。
【請求項１８】
請求項１７に記載の組合せにおいて、前記第１の横板と前記第２の横板とは概ね垂直に伸長し、前記天板は概ね水平に伸長することを特徴とする組合せ。
【請求項１９】
請求項１８に記載の組合せにおいて、前記容器は概して切頭錐体であることを特徴とする組合せ。
【請求項２０】
請求項１乃至１５のいずれかに記載の前記生地板から、前記閉じ板を前記蓋の生地板の前記残余の板の１つに糊付けすることにより形成することを特徴とする蓋。
【請求項２１】
容器と請求項２０に記載の前記蓋との組合せにおいて、前記容器の頂部部分は前記蓋の前記少なくとも１つの頂部受入切込パターンと係合することを特徴とする容器と蓋との組合せ。
【請求項２２】
請求項２１に記載の組合せにおいて、前記第１の横板と前記第２の横板とは概ね垂直に伸長し、前記天板は概ね水平に伸長することを特徴とする組合せ。
【請求項２３】
請求項２２に記載の組合せにおいて、前記容器は概して切頭錐体であることを特徴とする組合せ。
【請求項２４】
蓋を容器に取り付ける方法において、
請求項１乃至１５のいずれかに記載の生地板を用意するステップと、
生地板を折り込むステップと、
少なくとも１つの閉じ耳と少なくとも１つの閉じ孔とを係合させるステップと、
容器を用意するステップと、
容器の頂部を少なくとも１つの頂部受入切込パターンに挿着させるステップと、を含むことを特徴とする方法。
【請求項２５】
蓋を容器に取り付ける方法において、
請求項１乃至１５のいずれかに記載の生地板を用意するステップと、
生地板を折り込むステップと、
閉じ板を蓋の生地板の残余の板に糊付けするステップと、
容器を用意するステップと、
容器の頂部を少なくとも１つの頂部受入切込パターンに挿着させるステップと、を含むことを特徴とする方法。
【請求項２６】
凹凸や継目のない天板と、
第１の横板と、
底板と、
前記底板にあって、容器の上方部分を受け入れる大きさにされた少なくとも１つの頂部受入切込パターンと、
第２の横板と、
前記生地板を閉塞する力学的手段と、を備える、蓋に組み上げる蓋の生地板において、
組み上げた蓋では、前記天板が前記第１の横板と前記第２の横板とに隣接し、前記底板が前記第１の横板と前記第２の横板とに隣接することを特徴とする蓋の生地板。
【請求項２７】
請求項２６に記載の生地板において、前記少なくとも１つの頂部受入切込パターンは、
前記底板の第１の側部に配された第１の頂部受入切込パターンと、
前記底板の第２の側部に配された第２の頂部受入切込パターンと、を含むことを特徴とする生地板。
【請求項２８】
請求項２６に記載の生地板において、前記生地板を閉塞する前記力学的手段は耳手段を含むことを特徴とする生地板。
【請求項２９】
請求項２６に記載の生地板において、前記生地板は前記底板の中心部分が概して矩形をなし、前記底板を前記第１の横板に折込可能に接続するところが細くなることを特徴とする生地板。
【請求項３０】
請求項２６に記載の前記生地板から形成されることを特徴とする蓋。
【請求項３１】
容器と請求項３０に記載の前記蓋との組合せにおいて、前記容器の頂部部分は前記蓋の前記少なくとも１つの頂部受入切込パターンと係合することを特徴とする容器と蓋との組合せ。
【請求項３２】
天板と、
第１の横板と、
底板と、
前記底板にあって、容器の上方部分を受け入れる手段と、
第２の横板と、
少なくとも１つの閉じ耳と、
前記少なくとも１つの閉じ耳を受け入れる大きさにされた少なくとも１つの閉じ孔と、を備える、蓋に組み上げる蓋の生地板において、
組み上げた蓋では、前記天板が前記第１の横板と前記第２の横板とに隣接し、前記底板が前記第１の横板と前記第２の横板とに隣接することを特徴とする蓋の生地板。
【請求項３３】
請求項３２に記載の生地板において、前記天板は凹凸または継目のないボール紙の連続した部片であることを特徴とする生地板。
【請求項３４】
請求項３２に記載の生地板から形成されることを特徴とする蓋。
【請求項３５】
容器と請求項３４に記載の前記蓋との組合せにおいて、前記容器の頂部部分は、容器の上方部分を受け入れる前記底板の前記手段と係合することを特徴とする容器と蓋との組合せ。
【請求項３６】
蓋を容器に取り付ける方法において、
請求項３２に記載の生地板を用意するステップと、
前記生地板を折り込むステップと、
前記少なくとも１つの閉じ孔と前記少なくとも１つの閉じ耳とを係合させるステップと、
容器を用意するステップと、
前記容器の頂部を、容器の上方部分を受け入れる前記底板の前記手段に挿着させるステップと、を含むことを特徴とする方法。
【請求項３７】
請求項３２に記載の生地板において、
前記生地板は前記天板のところが概して矩形をなし、前記天板を前記第１の横板に折込可能に接続するところが細くなり、さらに、
前記生地板は前記底板の中心部分が概して矩形をなし、前記底板を前記第１の横板に折込可能に接続するところが細くなることを特徴とする生地板。
【請求項３８】
請求項１７に記載の組合せにおいて、前記頂部部分は前記容器の開放頂部であることを特徴とする組合せ。
【請求項３９】
請求項３８に記載の組合せにおいて、前記蓋は前記開放頂部を覆い、前記容器の中身が飛び散らないようにすることを特徴とする組合せ。
【請求項４０】
請求項２０に記載の蓋において、前記閉じ板は前記天板に糊付けされることを特徴とする蓋。
【請求項４１】
請求項２５に記載の方法において、閉じ板の糊付けは、閉じ板を天板に糊付けすることを含むことを特徴とする方法。
【国際調査報告】
2008532871.tif 000014
2008532871.tif 000015
2008532871.tif 000016